(57)【要約】【課題】出力する音声を適正に補正することができ、ユーザにより聞こえやすい音声を出力することができる携帯電子機器及び音声制御システムを提供することにある。【解決手段】筐体と、音声信号に基づいて音を発生する音発生部と、利用者の情報と、当該利用者の補正パラメータと、を記憶する記憶部と、音発生部で発生させる音を聞いている使用者を識別するための識別情報を取得する識別情報取得部と、識別情報取得部で取得した識別情報と、記憶部の利用者の情報とに基づいて、使用者が利用者であるかを判定し、使用者が前記利用者である場合は、利用者の補正パラメータを前記記憶部から読み出し、読み出した補正パラメータを使用補正パラメータとして設定する処理部と、処理部により設定された使用補正パラメータに基づいて、音声信号を補正し、補正した音声信号を前記音発生部に供給する補正部と、を備えることで、上記課題を解決する。【選択図】図３
2012074911.tif 000002
【特許請求の範囲】
【請求項１】
筐体と、
前記筐体に設けられて、音声信号に基づいて音を発生する音発生部と、
前記筐体に設けられて、利用者の情報と、当該利用者の補正パラメータと、を記憶する記憶部と、
前記筐体に設けられて、前記音発生部で発生させる音を聞いている使用者を識別するための識別情報を取得する識別情報取得部と、
前記識別情報取得部で取得した識別情報と、前記記憶部の前記利用者の情報とに基づいて、前記使用者が前記利用者であるかを判定し、前記使用者が前記利用者である場合は、前記利用者の補正パラメータを前記記憶部から読み出し、読み出した補正パラメータを使用補正パラメータとして設定する処理部と、
前記処理部により設定された前記使用補正パラメータに基づいて、音声信号を補正し、補正した音声信号を前記音発生部に供給する補正部と、
を備えることを特徴とする携帯電子機器。
【請求項２】
筐体と、
他の機器と通信を行う通信部と、
前記筐体に設けられて、音声信号に基づいて音を発生する音発生部と、
前記筐体に設けられて、前記音発生部で発生させる音を聞いている使用者を識別するための識別情報を取得する識別情報取得部と、
前記筐体に設けられて、前記通信部を介して他の機器に前記識別情報を送信し、前記他の機器から、前記音発生部で発生させる音を聞いている使用者の識別情報に対応する補正パラメータを取得し、取得した前記補正パラメータを使用補正パラメータとして設定する処理部と、
前記使用補正パラメータに基づいて、音声信号を補正し、補正した音声信号を前記音発生部に供給する補正部と、
を備えることを特徴とする携帯電子機器。
【請求項３】
前記識別情報取得部は、音声を取得するマイクであり、
前記処理部は、前記マイクで取得した音声を前記識別情報として取得し、前記使用者を識別することを特徴とする請求項１または２に記載の携帯電子機器。
【請求項４】
前記識別情報取得部は、前記音発生部の近傍に配置され、前記音発生部に対面する領域の画像を取得するカメラであり、
前記処理部は、前記カメラで検出した前記音発生部に対面する領域の画像を前記識別情報として取得し、前記使用者を識別することを特徴とする請求項１から３のいずれか１項に記載の携帯電子機器。
【請求項５】
前記識別情報取得部は、前記筐体の所定位置に接触する指紋を検出する指紋センサであり、
前記処理部は、前記指紋センサで検出した指紋を前記識別情報として取得し、前記使用者を識別することを特徴とする請求項１から４のいずれか１項に記載の携帯電子機器。
【請求項６】
音声通話を行う音声通話機能部をさらに有し、
前記指紋センサは、前記音声通話機能を開始させる際に接触する部分に配置されていることを特徴とする請求項５に記載の携帯電子機器。
【請求項７】
前記筐体に作用する加速度を検出する加速度センサをさらに有し、
前記処理部は、前記加速度センサで予め設定されたしきい値以上の移動を検出したら、前記識別情報を再度取得し、前記使用者を検出することを特徴とする請求項１から６のいずれか１項に記載の携帯電子機器。
【請求項８】
前記補正パラメータは、音声周波数毎に音の大きさを調整するパラメータであることを特徴とする請求項１から７のいずれか１項に記載の携帯電子機器。
【請求項９】
前記補正パラメータは、前記音発生部から発生させる音声が不快閾値と可聴閾値との間の大きさになるように補正するパラメータであることを特徴とする請求項８に記載の携帯電子機器。
【請求項１０】
音声信号に基づいて音を発生する音発生部と、
前記音発生部で発生させる音を聞いている使用者を識別するための識別情報を取得する識別情報取得部と、
利用者の情報と当該利用者の補正パラメータと、を記憶する記憶部と、
前記使用者が前記記憶部に記憶された前記利用者である場合に、前記利用者の補正パラメータを前記記憶部から読み出し、当該読み出した補正パラメータに基づいて前記音発生部から発生する音を補正させる制御を行う制御部と、
前記制御部と他の各部との間にて、有線或いは無線にて、信号を送信或いは受信するための信号回路網と、を有し、
前記音発生部及び識別情報取得部は、使用者が携帯可能な筐体に設けられることを特徴とする音声制御システム。
【請求項１１】
前記記憶部あるいは前記制御部の一方あるいは双方を、サーバに設けることを特徴とする請求項１０に記載の音声制御システム。
【発明の詳細な説明】
【技術分野】
【０００１】
本発明は、音声を出力する携帯電子機器及び音声制御システムに関する。
【背景技術】
【０００２】
携帯電話機、携帯テレビ等の携帯電子機器は、音声を出力する。ここで、携帯電子機器のユーザの中には、加齢等によって、聴力が低下し、出力される音声が聞こえにくいユーザがいる。
【０００３】
これに対して、例えば、特許文献１には、レシーバ等から出力される音声の周波数特性及びレベルを年齢による聴覚変化に合わせて補正する音声補正機能付き移動機が記載されている。
【先行技術文献】
【特許文献】
【０００４】
【特許文献１】特開２０００−２０９６９８号公報
【発明の概要】
【発明が解決しようとする課題】
【０００５】
ここで、聴力低下の要因は、加齢、病気、騒音曝露等様々であり、聴力低下の程度も千差万別である。そのため、特許文献１に記載されているように、レシーバ等から出力される音声の周波数特性及びレベルを年齢に合わせて補正するだけでは、ユーザにとって十分満足できる音声の補正をすることができない。
【０００６】
本発明は、出力する音声を適正に補正することができ、ユーザにより聞こえやすい音声を出力することができる携帯電子機器及び音声制御システムを提供することを目的とする。
【課題を解決するための手段】
【０００７】
本発明に係る携帯電子機器は、筐体と、前記筐体に設けられて、音声信号に基づいて音を発生する音発生部と、前記筐体に設けられて、利用者の情報と、当該利用者の補正パラメータと、を記憶する記憶部と、前記筐体に設けられて、前記音発生部で発生させる音を聞いている使用者を識別するための識別情報を取得する識別情報取得部と、前記識別情報取得部で取得した識別情報と、前記記憶部の前記利用者の情報とに基づいて、前記使用者が前記利用者であるかを判定し、前記使用者が前記利用者である場合は、前記利用者の補正パラメータを前記記憶部から読み出し、読み出した補正パラメータを使用補正パラメータとして設定する処理部と、前記処理部により設定された前記使用補正パラメータに基づいて、音声信号を補正し、補正した音声信号を前記音発生部に供給する補正部と、を備えることを特徴とする。
【０００８】
本発明に係る携帯電子機器は、筐体と、他の機器と通信を行う通信部と、前記筐体に設けられて、音声信号に基づいて音を発生する音発生部と、前記筐体に設けられて、前記音発生部で発生させる音を聞いている使用者を識別するための識別情報を取得する識別情報取得部と、前記筐体に設けられて、前記通信部を介して他の機器に前記識別情報を送信し、前記他の機器から、前記音発生部で発生させる音を聞いている使用者の識別情報に対応する補正パラメータを取得し、取得した前記補正パラメータを使用補正パラメータとして設定する処理部と、前記使用補正パラメータに基づいて、音声信号を補正し、補正した音声信号を前記音発生部に供給する補正部と、を備えることを特徴とする。
【０００９】
ここで、前記識別情報取得部は、音声を取得するマイクであり、前記処理部は、前記マイクで取得した音声を前記識別情報として取得し、前記使用者を識別することが好ましい。
【００１０】
また、前記識別情報取得部は、前記音発生部の近傍に配置され、前記音発生部に対面する領域の画像を取得するカメラであり、前記処理部は、前記カメラで検出した前記音発生部に対面する領域の画像を前記識別情報として取得し、前記使用者を識別することが好ましい。
【００１１】
また、前記識別情報取得部は、前記筐体の所定位置に接触する指紋を検出する指紋センサであり、前記処理部は、前記指紋センサで検出した指紋を前記識別情報として取得し、前記使用者を識別することが好ましい。
【００１２】
また、音声通話を行う音声通話機能部をさらに有し、指紋センサは、音声通話機能を開始させる際に接触する部分に配置されていることが好ましい。
【００１３】
また、前記筐体に作用する加速度を検出する加速度センサをさらに有し、処理部は、加速度センサで予め設定されたしきい値以上の移動を検出したら、前記識別情報を再度取得し、前記使用者を検出することが好ましい。
【００１４】
また、前記補正パラメータは、音声周波数毎に音の大きさを調整するパラメータであることが好ましい。
【００１５】
また、前記補正パラメータは、前記音発生部から発生させる音声が不快閾値と可聴閾値との間の大きさになるように補正するパラメータであることが好ましい。
【００１６】
本発明に係る音声制御システムは、音声信号に基づいて音を発生する音発生部と、前記音発生部で発生させる音を聞いている使用者を識別するための識別情報を取得する識別情報取得部と、利用者の情報と当該利用者の補正パラメータと、を記憶する記憶部と、前記使用者が前記記憶部に記憶された前記利用者である場合に、前記利用者の補正パラメータを前記記憶部から読み出し、当該読み出した補正パラメータに基づいて前記音発生部から発生する音を補正させる制御を行う制御部と、前記制御部と他の各部との間にて、有線或いは無線にて、信号を送信或いは受信するための信号回路網と、を有し、前記音発生部及び識別情報取得部は、使用者が携帯可能な筐体に設けられることを特徴とする。
【００１７】
前記記憶部あるいは前記制御部の一方あるいは双方を、サーバに設けることが好ましい。
【発明の効果】
【００１８】
本発明は、個々のユーザの聴力に合わせて、出力する音声を適正に補正することができ、ユーザにより聞こえやすい音声を出力することができるという効果を奏する。
【図面の簡単な説明】
【００１９】
【図１】図１は、携帯電子機器の一実施形態の概略構成を示す正面図である。
【図２】図２は、図１に示す携帯電子機器の側面図である。
【図３】図３は、図１、図２に示す携帯電子機器の機能の概略構成を示すブロック図である。
【図４】図４は、携帯電子機器の動作の一例を説明するためのフロー図である。
【図５】図５は、携帯電子機器の動作の一例を説明するためのフロー図である。
【図６】図６は、携帯電子機器の動作の一例を説明するためのフロー図である。
【図７】図７は、人間の聴力の特性の例を示す図である。
【図８】図８は、難聴者の聴力の特性の例を示す図である。
【図９】図９は、可聴閾値及び不快閾値の例を示す図である。
【図１０】図１０は、図９に、母音、有声子音及び無声子音の大きさ及び周波数を重ねて示した図である。
【図１１】図１１は、図１０の高音（子音）を単純に増幅した図である。
【図１２】図１２は、図１１の大きい音に対して圧縮処理を行った図である。
【図１３】図１３は、携帯電子機器の動作の一例を説明するためのフロー図である。
【図１４−１】図１４−１は、不快閾値よりわずかに小さい音の音声信号を示す図である。
【図１４−２】図１４−２は、図１４−１の音声信号のスペクトル成分を示す図である。
【図１４−３】図１４−３は、可聴閾値よりわずかに大きい音の音声信号を示す図である。
【図１４−４】図１４−４は、図１４−３の音声信号のスペクトル成分を示す図である。
【図１５−１】図１５−１は、提示音として大きい音を再生した場合にディスプレイに一覧表示される音に関する不満を示す図である。
【図１５−２】図１５−２は、提示音として小さい音を再生した場合にディスプレイに一覧表示される音に関する不満を示す図である。
【図１６】図１６は、携帯電子機器の動作の一例を説明するためのフロー図である。
【図１７】図１７は、携帯電子機器の動作の一例を説明するためのフロー図である。
【図１８】図１８は、携帯電子機器を備える通信システムの概略構成を示す模式図である。
【発明を実施するための形態】
【００２０】
以下、本発明につき図面を参照しつつ詳細に説明する。なお、以下の説明により本発明が限定されるものではない。また、以下の説明における構成要素には、当業者が容易に想定できるもの、実質的に同一のもの、いわゆる均等の範囲のものが含まれる。以下においては、携帯電子機器の一例として携帯電話機を取り上げるが、本発明の適用対象は携帯電話機に限定されるものではなく、例えば、ＰＨＳ（Personal  Handy-phone  System）、ＰＤＡ、ポータブルナビゲーション装置、ノートパソコン、ゲーム機等に対しても本発明は適用できる。また、携帯電子機器を含むシステムにおいても適用することができる。
【００２１】
図１は、実施形態に係る携帯電子機器の一実施形態の概略構成を示す正面図であり、図２は、図１に示す携帯電子機器の側面図である。図１、図２に示す携帯電子機器１は、無線通信機能と、出力手段と、音声取得手段とを有する携帯電話機である。携帯電子機器１は、筐体１Ｃが複数の筐体で構成される。具体的には、筐体１Ｃは、第１筐体１ＣＡと第２筐体１ＣＢとで開閉可能に構成される。すなわち、携帯電子機器１は、折り畳み式の筐体を有する。なお、携帯電子機器１の筐体は、このような構造に限定されるものではない。例えば、携帯電子機器１の筐体は、両方の筐体を重ね合わせた状態から一方の筐体と他方の筐体とを互いにスライドできるようにしたスライド式の筐体であってもよいし、重ね合わせ方向に沿う軸線を中心に、一方の筐体を回転させるようにした回転式や、２軸ヒンジを介して両方の筐体を連結したものでもよい。
【００２２】
第１筐体１ＣＡと第２筐体１ＣＢとは、連結部であるヒンジ機構８で連結されている。ヒンジ機構８で第１筐体１ＣＡと第２筐体１ＣＢとを連結することにより、第１筐体１ＣＡ及び第２筐体１ＣＢは、ヒンジ機構８を中心としてともに回動して、互いに遠ざかる方向及び互いに接近する方向（図２の矢印Ｒで示す方向）に回動できるように構成される。第１筐体１ＣＡと第２筐体１ＣＢとが互いに遠ざかる方向に回動すると携帯電子機器１が開き、第１筐体１ＣＡと第２筐体１ＣＢとが互いに接近する方向に回動すると携帯電子機器１が閉じて、折り畳まれた状態となる（図２の点線で示す状態）。
【００２３】
第１筐体１ＣＡには、表示部として、図１に示すディスプレイ２が設けられる。ディスプレイ２は、携帯電子機器１が受信を待機している状態のときに待ち受け画像を表示したり、携帯電子機器１の操作を補助するために用いられるメニュー画像を表示したりする。また、第１筐体１ＣＡには、携帯電子機器１の通話時に音声を出力する出力手段であるレシーバ１６が設けられる。また、第１筐体１ＣＡのディスプレイ２が配置されている面のレシーバ１６の近傍には、カメラ３８が設けられている。
【００２４】
第２筐体１ＣＢには、通話相手の電話番号や、メール作成時等に文字を入力するための操作キー１３Ａが複数設けられ、また、ディスプレイ２に表示されるメニューの選択及び決定や画面のスクロール等を容易に実行するための方向及び決定キー１３Ｂが設けられる。操作キー１３Ａ及び方向及び決定キー１３Ｂは、携帯電子機器１の操作部１３を構成する。また、第２筐体１ＣＢには、携帯電子機器１の通話時に音声を受け取る音声取得手段であるマイク１５が設けられる。操作部１３は、図２に示す、第２筐体１ＣＢの操作面１ＰＣに設けられる。操作面１ＰＣとは反対側の面が、携帯電子機器１の背面１ＰＢである。また、操作キー１３Ａを構成するキーのうち、発信操作及び受話操作を入力するキー（図１中左上のキー）は、指紋センサ３６も設けられている。つまり、発信操作及び受話操作を入力するキーに指が触れると、指紋センサ３６が触れた指の指紋を検出する。
【００２５】
第２筐体１ＣＢの内部には、アンテナが設けられている。アンテナは、無線通信に用いる送受信アンテナであり、携帯電子機器１と基地局との間で通話や電子メール等に係る電波（電磁波）の送受信に用いられる。また、第２筐体１ＣＢには、マイク１５が設けられる。マイク１５は、図２に示す、携帯電子機器１の操作面１ＰＣ側に配置される。
【００２６】
図３は、図１、図２に示す携帯電子機器の機能の概略構成を示すブロック図である。図３に示すように、携帯電子機器１は、処理部２２と、記憶部２４と、送受信部２６と、操作部１３と、音声処理部３０と、表示部３２と、出力音補正部３４と、加速度センサ３５と、指紋センサ３６と、カメラ３８と、を有する。処理部２２は、携帯電子機器１の全体的な動作を統括的に制御する機能を有する。すなわち、処理部２２は、携帯電子機器１の各種の処理が、操作部１３の操作や携帯電子機器１の記憶部２４に記憶されるソフトウェアに応じて適切な手順で実行されるように、送受信部２６や、音声処理部３０や、表示部３２等の動作を制御する。
【００２７】
携帯電子機器１の各種の処理としては、例えば、回線交換網を介して行われる音声通話、電子メールの作成及び送受信、インターネットのＷｅｂ（World Wide Web）サイトの閲覧等がある。また、送受信部２６、音声処理部３０、表示部３２等の動作としては、例えば、送受信部２６による信号の送受信、音声処理部３０による音声の入出力、表示部３２による画像の表示等がある。
【００２８】
処理部２２は、記憶部２４に記憶されているプログラム（例えば、オペレーティングシステムプログラム、アプリケーションプログラム等）に基づいて処理を実行する。処理部２２は、例えば、マイクロプロセッサユニット（ＭＰＵ：Micro Processing Unit）で構成され、前記ソフトウェアで指示された手順にしたがって上述した携帯電子機器１の各種の処理を実行する。すなわち、処理部２２は、記憶部２４に記憶されるオペレーティングシステムプログラムやアプリケーションプログラム等から命令コードを順次読み込んで処理を実行する。
【００２９】
処理部２２は、複数のアプリケーションプログラムを実行する機能を有する。処理部２２が実行するアプリケーションプログラムとしては、例えば、各種の画像ファイル（画像情報）を記憶部２４から読み出してデコードするアプリケーションプログラム、及びデコードして得られる画像を表示部３２に表示させるアプリケーションプログラム等の複数のアプリケーションプログラムがある。
【００３０】
本実施形態において、処理部２２は、出力音補正部３４の補正パラメータを設定する補正パラメータ設定部２２ａ、音声認識処理を行う音声解析部２２ｂ、音声のスペクトル分析を行うスペクトル分析部２２ｃ、所定の提示音（テスト音）を生成する提示音生成部２２ｄ、出力音補正機能を制御する補正機能制御部２２ｅを有する。補正パラメータ設定部２２ａ、音声解析部２２ｂ、スペクトル分析部２２ｃ、提示音生成部２２ｄ、補正機能制御部２２ｅがそれぞれ有する機能は、処理部２２及び記憶部２４で構成されるハードウェア資源が、処理部２２の制御部が割り当てるタスクを実行することにより実現される。ここで、タスクとは、アプリケーションソフトウェアが行っている処理全体、又は同じアプリケーションソフトウェアが行っている処理のうち、同時に実行できない処理単位である。なお、補正パラメータ設定部２２ａ、音声解析部２２ｂ、スペクトル分析部２２ｃ及び提示音生成部２２ｄの機能を、送受信部２６を介して携帯電子機器１と通信可能なサーバで実行し、サーバが実行結果を携帯電子機器１に送信するようにしても良い。
【００３１】
記憶部２４には、処理部２２での処理に利用されるソフトウェアやデータが記憶されており、上述した、画像処理用プログラムを作動させるタスクが記憶されている。また、記憶部２４には、これらのタスク以外にも、例えば、通信、ダウンロードされた音声データ、あるいは記憶部２４に対する制御に処理部２２が用いるソフトウェア、通信相手の電話番号やメールアドレス等が記述されて管理するアドレス帳、発信音や着信音等の音声ファイル、ソフトウェアの処理過程で用いられる一時的なデータ等が記憶されている。
【００３２】
また、記憶部２４は、さらに、使用者を識別するためのの識別情報（利用者の識別情報）と、使用者（登録された利用者）に対応した補正パラメータとが記憶されている。つまり、記憶部２４には、使用者を特定するための情報と、補正パラメータが使用者毎に設定され記憶されている。使用者（登録されている利用者）の識別情報としては、声紋情報や、使用者（または利用者）の顔、または頭部の一部の画像情報、指紋情報等がある。なお、補正パラメータは、補正パラメータ設定部２２ａ、音声解析部２２ｂ、スペクトル分析部２２ｃ、提示音生成部２２ｄを用いた、所定のパラメータ設定処理により設定される。補正パラメータの設定処理については、後ほど説明する。
【００３３】
なお、ソフトウェアの処理過程で用いられるコンピュータプログラムや一時的なデータは、処理部２２によって記憶部２４に割り当てられた作業領域へ一時的に記憶される。記憶部２４は、例えば、不揮発性の記憶デバイス（ＲＯＭ：Read  Only  Memory等の不揮発性半導体メモリ、ハードディスク装置等）や、読み書き可能な記憶デバイス（例えば、ＳＲＡＭ：Static  Random  Access  Memory、ＤＲＡＭ：Dynamic  Random  Access  Memory）等で構成される。
【００３４】
送受信部２６は、アンテナ２６ａを有し、基地局によって割り当てられるチャネルを介し、基地局との間でＣＤＭＡ（Code Division Multiple Access）方式などによる無線信号回線を確立し、基地局との間で電話通信及び情報通信を行う。操作部１３は、例えば、電源キー、通話キー、数字キー、文字キー、方向キー、決定キー、発信キー等、各種の機能が割り当てられた操作キー１３Ａと、方向及び決定キー１３Ｂとで構成される。そして、これらのキーがユーザの操作により入力されると、その操作内容に対応する信号を発生させる。発生した信号は、ユーザの指示として処理部２２へ入力される。
【００３５】
音声処理部３０は、マイク１５に入力される音声信号やレシーバ１６やスピーカ１７から出力される音声信号の処理を実行する。すなわち、音声処理部３０は、マイク１５から入力される音声を増幅し、ＡＤ変換（Analog Digital変換）を実行した後、さらに符号化等の信号処理を施して、ディジタルの音声データに変換して処理部２２へ出力する。また、処理部２２から出力音補正部３４を介して送られる音声データに対して復号化、ＤＡ変換（Digital Analog変換）、増幅等の処理を施してアナログの音声信号に変換してから、レシーバ１６やスピーカ１７へ出力する。ここで、スピーカ１７は、携帯電子機器１の筐体１Ｃ内に配置されており、着信音やメールの送信音等を出力する。
【００３６】
表示部３２は、上述したディスプレイ２を有しており、処理部２２から供給される映像データに応じた映像や画像データに応じた画像を表示パネルに表示させる。ディスプレイ２は、例えば、液晶ディスプレイ（ＬＣＤ、Liquid  Crystal  Display）や、有機ＥＬ（Organic  Electro−Luminescence）パネルなどで構成された表示パネルで構成される。なお、表示部３２は、ディスプレイ２に加え、サブディスプレイを有していてもよい。
【００３７】
出力音補正部３４は、処理部２２により設定される補正パラメータに基づいて、処理部２２から送られる音声データに対して補正を行って音声処理部３０に出力する。なお、出力音補正部３４が行う補正は、入力される音声データに対して、補正パラメータに基づいて、音の大きさ及び周波数に応じて異なるゲインで増幅する補正である。また、出力音補正部３４は、ハードウェア回路で実現しても良いし、ＣＰＵとプログラムで実現しても良い。出力音補正部３４をＣＰＵとプログラムで実現する場合、出力音補正部３４を処理部２２内で実現するようにしても良い。また、出力音補正部３４の機能を、送受信部２６を介して通信可能なサーバで実行し、サーバが補正処理後の音声データを携帯電子機器１に送信するようにしても良い。
【００３８】
加速度センサ３５は、筐体１Ｃに加わる加速度を検出する検出器である。加速度センサ３５として、種々の方法で加速度を検出する検出器を用いることができ、例えば、静電容量の変化や、ピエゾ抵抗の変化、相対位置の変化等で加速度を検出する検出器を用いることができる。加速度センサ３５は、操作者が筐体１Ｃを振ったり、移動させたりする際に、筐体１Ｃに作用する加速度を検出する。
【００３９】
指紋センサ３６は、上述したように、操作キー１３Ａの発信操作及び受話操作を入力するキー（図１中左上のキー）に配置されており、当該キーに接触した指の指紋を検出する。なお、指紋センサ３６としては、感圧により指紋を検出する検出素子や、静電容量の変化に基づいて指紋を検出する素子等を用いることができる。
【００４０】
カメラ３８は、第１筐体１ＣＡの上面に設けられ、ディスプレイ２に対面する領域の画像を取得する撮像機構である。
【００４１】
次に、図４及び図５を用いて、携帯電子機器１の音声出力時の処理の一例について説明する。ここで、図４及び図５は、それぞれ、携帯電子機器の動作の一例を説明するためのフロー図である。なお、図４及び図５に示す処理動作は、基本的に処理部２２が補正機能制御部２２ｅを機能させることで実行される。また、図４及び図５に示す処理は、通話時等、レシーバ１６、スピーカ１７から音声を出力する処理の実行時に行われる。なお、図４に示す処理は、音声を出力する処理を開始する際に開始される。また、図４及び図５に示す処理は、マイク１５で取得した音声により使用状態（使用している使用者）を識別するための識別情報を取得し、その取得情報に基づいて、使用者が設定されている本人であるかを確認し、本人である場合は、設定されている補正パラメータを使用する補正パラメータに設定する処理である。さらに、図４に示す処理は、加速度センサ３５の検出結果も用いて制御を行う。
【００４２】
携帯電子機器１の処理部２２は、まず、ステップＳ１２として、マイク音声の声紋分析を行う。つまり、処理部２２は、マイク１５で音声を取得し、取得した音声を分析することで携帯電子機器１の音声出力機能を使用している使用者の声紋を抽出する。処理部２２は、ステップＳ１２で声紋を分析したら、ステップＳ１４として、本人であるかを判定する。つまり、処理部２２は、ステップＳ１２で抽出した声紋と、記憶部２４に記憶されている声紋とを比較し、使用者が記憶部２４に補正パラメータが設定されている本人であるかを判定する。
【００４３】
処理部２２は、ステップＳ１４で使用者が本人ではない（Ｎｏ）と判定したら、ステップＳ１６として、出力補正をＯＦＦにし、使用者が本人である（Ｙｅｓ）と判定したら、ステップＳ１８として、出力補正をＯＮにする。ここで、出力補正とは、補正パラメータを用いて、出力音声を補正する機能である。処理部２２は、出力補正がＯＮの状態では、記憶部２４に記憶されている本人に対応する補正パラメータを出力音補正部３４に供給する。また、出力音補正部３４は、供給された補正パラメータを用いて、供給された音声信号を補正し、補正した音声をレシーバ１６、スピーカ１７から出力させる。また、処理部２２は、出力補正がＯＦＦの状態では、出力音補正部３４の機能を停止させ、供給された音声信号をそのまま変換した音声をレシーバ１６、スピーカ１７から出力させる。処理部２２は、ステップＳ１６またはステップＳ１８で出力補正機能のＯＮ、ＯＦＦの設定を行ったら、ステップＳ２０に進む。
【００４４】
処理部２２は、ステップＳ２０として、加速度センサ３５により加速度を検出し、ステップＳ２２として、しきい値≦検出値であるかを判定する。つまり、処理部２２は、検出した加速度がしきい値以上であるかを判定する。なお、しきい値は、予め設定されている値であり、携帯電子機器１が移動したと判定することができる値である。つまり手振れ等により発生する加速度以上の加速度が生じ、携帯電子機器１が一定距離以上移動したと判定できる加速度の値である。
【００４５】
処理部２２は、ステップＳ２２でしきい値≦検出値である（Ｙｅｓ）と判定したら、携帯電子機器１が一定以上移動したと判定し、ステップＳ２４として、割り込み処理を行う。ここで、割り込み処理とは、携帯電子機器１が一定以上移動し、使用者が変わった可能性があると判定した場合に行う処理であり、出力補正機能のＯＮ、ＯＦＦの再設定処理である。以下、図５を用いて、割り込み処理について、説明する。
【００４６】
処理部２２は、割り込み処理が実行されると、ステップＳ３０として、出力補正をＯＦＦにする。つまり、処理部２２は、出力音補正部３４による音声の補正機能を停止させ、音声信号を補正せずそのまま音声として出力する。処理部２２は、ステップＳ３０で出力補正をＯＦＦにしたら、ステップＳ３１として、マイク音声の声紋分析を行う。処理部２２は、ステップＳ３１で声紋を分析したら、ステップＳ３２として、本人であるかを判定する。処理部２２は、ステップＳ３２で使用者が本人ではない（Ｎｏ）と判定したら、そのまま処理を終了し、使用者が本人である（Ｙｅｓ）と判定したら、ステップＳ３６として、出力補正をＯＮにする。処理部２２は、ステップＳ３２でＮｏまたはステップＳ３６の処理が終了したら、割り込み処理を終了し、図４に示すフロー図の処理に戻る。
【００４７】
処理部２２は、ステップＳ２４で割り込み処理を行ったら、ステップＳ２０に進み、再び加速度検出を行い、ステップＳ２２の判定を行う。
【００４８】
処理部２２は、ステップＳ２２で、しきい値≦検出値ではない（Ｎｏ）、つまり、しきい値＞検出値であると判定したら、携帯電子機器１が移動しておらず、同一の使用者により使用されていると判定し、ステップＳ２６として、通話終了であるかを判定する。
【００４９】
処理部２２は、ステップＳ２６で通話終了ではない（Ｎｏ）と判定したら、ステップＳ２０に進み、上記処理を繰り返す。また、処理部２２は、ステップＳ２６で通話終了である（Ｙｅｓ）と判定したら、本処理を終了する。
【００５０】
このように、携帯電子機器１は、音声信号が入力されたら、出力音補正部３４により、設定した補正パラメータに基づいて、音声信号を補正し音声処理部３０に出力する。これにより、携帯電子機器１は、ユーザの聴こえ（音声の聞こえ方、聴覚の特性）に合わせて設定した補正パラメータによって音声信号を補正することができ、ユーザにより聞こえやすい音声を出力することができる。
【００５１】
さらに、処理部２２は、使用者を判定し、使用者が本人である場合は、その本人の聴こえに対応した補正パラメータで出力音の補正を行い、本人以外が使用者である場合は、出力音の補正を行わないことで、携帯電子機器１を使用している使用者に適した音声で音声を出力することができる。これにより、携帯電子機器１を本人以外が使用する場合も好適に音声を聞くことができる。つまり、本人以外が使用する場合は、補正されていて一部の音声が通常より大きく出力される音声ではなく、補正されていない音声を聞くことが出来る。これにより、本人以外が利用する場合も聞きやすい音声で聞くことができる。
【００５２】
また、携帯電子機器１は、使用者を検出し、出力音の補正機能のＯＮ，ＯＦＦを自動的に制御することで、ユーザは、設定を切り換えなくても適切な音声で通話、視聴等を行うことができる。
【００５３】
なお、上記実施形態では、本人であるか否かで、出力音の補正機能のＯＮ、ＯＦＦを切り換えたが、本発明はこれに限定されない。携帯電子機器１は、複数の利用者の識別情報と、それぞれの利用者に対応する補正パラメータを記憶しておき、声紋情報に基づいて、利用者のいずれであるかを検出し、検出した利用者に対応する補正パラメータを使用補正パラメータとして設定して、出力音を補正するようにしてもよい。つまり、検出した利用者に対応して使用する補正パラメータを設定するようにしてもよい。なお、この場合も、使用者が、利用者のいずれでもない場合は、出力音の補正機能をＯＦＦすることで、補正していない音声で出力することができる。
【００５４】
ここで、上記実施形態では、音声を聞いている使用者の情報をマイク１５で取得した音声情報に基づいて検出したが、これには限定されない。携帯電子機器１は、使用者を検出するための情報、つまり識別情報として、種々の情報を用いることができ、識別情報を検出する識別情報検出部もマイク１５以外の種々の検出部を用いることができる。
【００５５】
次に、図６を用いて、携帯電子機器１の音声出力時の処理の他の例について説明する。ここで、図６は、携帯電子機器の動作の一例を説明するためのフロー図である。また、図６に示す処理は、カメラ３８で使用者を識別するための識別情報を取得し、その取得情報に基づいて、使用する補正パラメータを設定する処理である。
【００５６】
携帯電子機器１の処理部２２は、まず、ステップＳ６２として、カメラ３４で画像を取得する。処理部２２は、ステップＳ６２で画像を取得したら、ステップＳ６４として、本人であるかを判定する。つまり、処理部２２は、ステップＳ６２で取得した画像に人物が写っている場合は、その人物の画像を抽出する。その後、処理部２２は、抽出した画像と、記憶部２４に記憶されている識別情報とを比較し、取得した画像の人物が記憶部２４に記憶されている識別情報の人物であるか、本実施形態では、本人であるかを判定する。
【００５７】
処理部２２は、ステップＳ６４で使用者が本人ではない（Ｎｏ）と判定したら、ステップＳ６６として、出力補正をＯＦＦにし、使用者が本人である（Ｙｅｓ）と判定したら、ステップＳ６８として、出力補正をＯＮにする。処理部２２は、ステップＳ６６またはステップＳ６８で出力補正機能のＯＮ、ＯＦＦの設定を行ったら、ステップＳ７０に進む。
【００５８】
処理部２２は、ステップＳ７０として、再びカメラ３４で画像を取得し、ステップＳ７２として、被写体が変化したかを判定する。つまり、使用者が本人であるかを判定した状態から、被写体、つまり、レシーバ１６の近傍にいる人物が変わったかを判定する。
【００５９】
処理部２２は、ステップＳ７２で被写体が変化した（Ｙｅｓ）と判定したら、ステップＳ７４として、出力補正をＯＦＦにする。つまり、処理部２２は、出力音補正部３４による音声の補正機能を停止させ、音声信号を補正せずそのまま音声として出力する。処理部２２は、ステップＳ７４で出力補正をＯＦＦにしたら、ステップＳ７６として、ステップＳ７０で取得した画像の被写体、つまり、ステップＳ７２で変化したと判定した被写体が本人であるかを判定する。処理部２２は、ステップＳ７６で使用者が本人ではない（Ｎｏ）と判定したら、ステップＳ７２に進む。また、処理部２２は、ステップＳ７６で使用者が本人である（Ｙｅｓ）と判定したら、ステップＳ７８として、出力補正をＯＮにする。処理部２２は、ステップＳ７８で出力補正をＯＮにしたら、ステップＳ７２の判定を行う。なお、処理部２２は、ステップＳ７６でＮｏと判定したら、または、ステップＳ７８の処理を終了したら、ステップＳ７０に進み再び画像を取得してもよい。
【００６０】
処理部２２は、ステップＳ７２で、被写体が変化していない（Ｎｏ）と判定したら、ステップＳ８０として、通話終了であるかを判定する。処理部２２は、ステップＳ８０で通話終了ではない（Ｎｏ）と判定したら、ステップＳ７０に進み、上記処理を繰り返す。また、処理部２２は、ステップＳ８０で通話終了である（Ｙｅｓ）と判定したら、本処理を終了する。
【００６１】
このように、マイク１５の検出結果に代えて、あるいは加えて、カメラ３８の検出結果に基づいて使用者を検出し、その使用者に応じた補正パラメータを設定するようにしても上記と同様の効果を得ることができる。
【００６２】
また、識別情報取得部としては、指紋センサ３６を用いることもできる。この場合、携帯電子機器１は、通話開始時等に操作を入力するために、指紋センサ３６に接触した指の指紋を検出し、検出した指紋から、使用者を特定し、特定した使用者が本人（識別情報が記憶された利用者）であるかを検出し、使用者に識別情報、及び、それに対応した補正パラメータが設定されている場合は、該当する補正パラメータを用いて、出力音補正部３４により出力音を補正する。このように、指紋センサ３６を用いることでも、使用者を特定することができ、その特定した結果に基づいて補正パラメータを設定することができる。
【００６３】
また、ここで、携帯電子機器１は、補正パラメータを周波数毎のパラメータで設定するが好ましい。また、補正パラメータを設定するために視聴する提示音を、母音と有声子音と無声子音とに別け解析を行い、それぞれに対応する周波数毎に補正パラメータを設定することが好ましい。これにより、補正パラメータを周波数毎のパラメータとして設定することで、より聴こえやすい音声を出力することができ、さらに、提示音を、母音と有声子音と無声子音とに別け解析を行うことで、より聴こえやすい音声を出力することが補正パラメータを設定することができる。なお、補正パラメータを周波数毎のパラメータで設定した場合は、補正処理がユーザに合わせた補正となるため、使用者毎に出力音の補正処理の状態を切り換えることで、複数の使用者が使用した場合でもその使用者に応じた音声を出力することができる。
【００６４】
ここで、人間の聴覚について図７から図１２を参照して説明する。図７は、人間の耳に入る音の大きさと人間が聴こえる（感じる）音の大きさとの関係を示すグラフである。健聴者の場合、耳に入る音の大きさと聴こえる音の大きさとは比例関係にある。一方、難聴者（高齢者、耳の病気を有する者等）の場合、一般的なイメージとしては、耳に入る音の大きさが或る値になるまでは殆ど聴こえず、耳に入る音の大きさが或る値以上になると耳に入る音に比例して音が聴こえるようになる。つまり、一般的なイメージの人は、耳に入る音を単純に増幅してやれば良いと考えられている。しかし、実際には、難聴者は、耳に入る音の大きさが或る値になるまでは殆ど聴こえず、耳に入る音の大きさが或る値以上になると急激に大きな音として聴こえるようになる。これにより、難聴者は、例えば、１０ｄＢの変化を２０ｄＢの変化に聴きとってしまう。そのため、大きい音に対して圧縮処理（大きい音に対するゲインを小さい音に対するゲインよりも小さくする処理）を行う必要がある。また、図８は、難聴者の聴力の周波数特性を示すグラフである。図８に示すように、難聴者は、低い音は良く聴こえるが、高い音ほど聴こえ難いことがわかる。なお、図８に示す特性は、一例であり、利用者によって聞こえる周波数特性は異なる。
【００６５】
図９は、健聴者、難聴者の出力される音の大きさと可聴閾値及び不快閾値との関係の一例を示す図である。なお、可聴閾値とは、適正に音が聴こえる下限の音の大きさであり、例えば、４０ｄＢで聴こえる音である。可聴閾値よりも小さい大きさの音は、小さくて聴こえにくい音になる。また、不快閾値とは、適正に音が聴こえる上限の音の大きさであり、例えば、９０ｄＢで聴こえる音である。不快閾値よりも大きい音は、音が大きくて不快に感じる音である。図９に示すように、難聴者は、可聴閾値４２と不快閾値４４とが共に、周波数が高くなるほど大きくなっている。なお、これに対して、健聴者は、可聴閾値４６及び不快閾値４８がともに、出力される音の大きさに対して一定となる。
【００６６】
次に、図１０は、難聴者の出力される音の大きさと可聴閾値及び不快閾値との関係に、調整しないで出力される母音、有声子音及び無声子音の大きさ及び周波数を重ねて示した図である。図１０に示すように、調整しないで出力される、つまり、健聴者の使用状態と同じ状態で出力させる母音は、範囲５０で囲まれる周波数と音の大きさとの範囲の音で出力される。同様に、有声子音は、範囲５２で囲まれる周波数と音の大きさとの範囲の音で出力され、無声子音は、範囲５４で囲まれる周波数と音の大きさとの範囲の音で出力される。ここで、図１０に示すように、難聴者の音が聞こえる範囲、可聴閾値４２と不快閾値４４の間には、母音の範囲５０と、有声子音の範囲５２の一部とが入るが、有声子音の範囲５２の一部と、無声子音の範囲５４の全部が入らない。このため、難聴者は、健聴者と同様の出力で音声を出力させると、母音は聴こえるが、子音（有声子音、無声子音）は殆ど聴こえないことがわかる。具体的には、有声子音は、一部聞こえるが、無声子音は、ほとんど聞こえない。
【００６７】
図１１は、図１０の高音（子音）を単純に増幅した図である。図１１に示す母音の範囲５０ａは、図１０に示す母音の範囲５０と同様の範囲としている。また、有声子音の範囲５２ａは、図１０に示す有声子音の範囲５２よりも全体的に音の大きさが大きくなる方向、つまり範囲が図１１中上方向に移動するように設定している。無声子音の範囲５４ａも、図１０に示す無声子音の範囲５４よりも全体的に音の大きさが大きくなる方向、つまり範囲が図１１中上方向に移動するように設定している。図１１に示すように、聞こえにくい周波数領域の音声、つまり、有声子音の範囲５２ａと、無声子音の範囲５４ａを単純に増幅すると、音の大きさが大きい範囲が不快閾値４４を超えてしまい、高音が耳にキンキン響いてしまう。即ち、音がひずんで聞こえてしまい、言葉が明りょうに聞こえなくなる。
【００６８】
これに対して、図１２は、本実施形態の携帯電子機器１の出力音補正部３４により、音声を補正、具体的には、図１１の大きい音に対して圧縮処理（大きい音に対するゲインを小さい音に対するゲインより小さくする処理）を行った図である。図１２に示す母音の範囲５０ｂは、図１１に示す母音の範囲５０ａよりも大きい音に対するゲインを小さくしている。また、有声子音の範囲５２ｂは、図１１に示す有声子音の範囲５２ａよりも大きい音に対するゲインを小さくしている。また、無声子音の範囲５４ｂも、図１１に示す無声子音の範囲５４ａよりも大きい音に対するゲインを小さくしている。図１２に示すように、小さい音は大きなゲインで増幅し、大きい音は小さいゲインで増幅することで、母音の範囲５０ｂ、有声子音の範囲５２ｂ及び無声子音の範囲５４ｂを快適な音の大きさ（可聴閾値４２と不快閾値４４との間の大きさ）に含まれるようにすることができる。携帯電子機器１は、以上の事柄を考慮して、入力される音声データに対する補正パラメータを決定する。なお、補正パラメータは、入力される音声が、可聴閾値４２と不快閾値４４との間の大きさの音声としてユーザに聞こえるように補正を行うパラメータである。携帯電子機器１は、出力音補正部３４により、決定した補正パラメータを用いて音の大きさ及び周波数に応じたゲインで増幅する補正を行い、音声処理部３０に出力する。これにより、携帯電子機器１は、耳が聞こえにくいユーザでも、好適に音声を聞くことが可能となる。
【００６９】
次に、図１３を用いて携帯電子機器の補正パラメータ設定動作の一例を説明する。ここで、図１３は、携帯電子機器の動作の一例を示すフロー図である。なお、図１３に示す動作は、記憶部２４に記憶されたアプリケーションを実行することで処理してもよい。またプログラムは、外部からダウンロードして取得することができる。また、図１３に示す動作を、送受信部２６を介して携帯電子機器１と通信可能なサーバで実行し、サーバが音声、画像等を携帯電子機器１に送信し、携帯電子機器１がサーバから受信した音声の出力、画像の表示等をし、携帯電子機器１がユーザから入力があった場合に入力データをサーバに送信するようにしても良い。
【００７０】
まず、携帯電子機器１の処理部２２は、ステップＳ１１２として、提示音（テスト音）を再生する。つまり、携帯電子機器１の処理部２２は、提示音生成部２２ｄにより提示音（テスト音）を生成し、音声処理部３０を介してレシーバ１６またはスピーカ１７から出力する。なお、提示音としては、不快閾値近傍及び可聴閾値近傍の音が聴こえに大きく影響するので、当初は健聴者用に設定された不快閾値ぎりぎりの音（例えば、不快閾値よりわずかに小さい音）や設定された可聴閾値ぎりぎりの音（例えば、可聴閾値よりわずかに大きい音）を用いることが好ましい。また、２回目以降は各ユーザの不快閾値、可聴閾値に対しぎりぎりの音を用いることが好ましい。図１４−１は、設定された不快閾値よりわずかに小さい音の音声信号を示す図である。図１４−２は、図１４−１に示す音声信号を累計したスペクトル成分を示す図である。図１４−３は、設定された可聴閾値よりわずかに大きい音の音声信号を示す図である。図１４−４は、図１４−３に示す音声信号を累計したスペクトル成分を示す図である。
【００７１】
再び図１３を参照すると、次に、処理部２２は、ステップＳ１１４として、ユーザが持つことが想定される音に関する不満（要望）をディスプレイ２に一覧表示する。図１５−１は、提示音として大きい音（不快閾値よりわずかに小さい音）を再生した場合にディスプレイ２に一覧表示される音に関する不満を示す図である。また、図１５−２は、提示音として小さい音（可聴閾値よりわずかに大きい音）を再生した場合にディスプレイ２に一覧表示される音に関する不満を示す図である。図１５−１を参照すると、提示音として大きい音（不快閾値よりわずかに小さい音）を再生した場合には、「ひびく／うるさい」という項目１５１ａ、「キンキンする」という項目１５１ｂ、「こもる」という項目１５１ｃ、「つまって聴こえる」という項目１５１ｄ、「不満はない」という項目１５１ｅがディスプレイ２に一覧表示される。また、図１５−２を参照すると、提示音として小さい音（可聴閾値よりわずかに大きい音）を再生した場合には、「ほぼ聴こえない」という項目１５２ａ、「音がシャリシャリする」という項目１５２ｂ、「音がはっきりしない」という項目５２ｃ、「不満はない」という項目１５２ｄがディスプレイ２に一覧表示される。
【００７２】
再び図１３を参照すると、次に、処理部２２は、ステップＳ１１６として、ディスプレイ２に一覧表示された項目のいずれかが選択されたか否かを判定する。処理部２２は、ディスプレイ２に一覧表示された項目のいずれかが選択されていないと判定したら（ステップＳ１１６でＮｏ）、処理をステップＳ１１６で待機させる。
【００７３】
また、処理部２２は、ディスプレイ２に一覧表示された項目のいずれかが選択されたと判定したら（ステップＳ１１６でＹｅｓ）、ステップＳ１１８として、補正パラメータ設定部２２ａにより、選択された不満を緩和する（要望を満たす）補正パラメータを出力音補正部３４に設定する。例えば、処理部２２は、図１４−１に示す提示音（不快閾値よりわずかに小さい音）を再生し、図１５−１に示すように「キンキンする」という項目１５１ｂが選択されたら、大きく高い音がユーザにとって不快閾値を超えていることがわかるので、補正パラメータ設定部２２ａにより、大きく高い音のゲインを下げる補正パラメータを出力音補正部３４に設定する。また、例えば、処理部２２は、図１４−３に示す提示音（可聴閾値よりわずかに大きい音）を再生し、図１５−２に示すように「ほぼ聴こえない」という項目１５２ａが選択されたら、音が全体的に（全周波数帯域にわたって）ユーザにとって可聴閾値に達していないことがわかるので、補正パラメータ設定部２２ａにより、全周波数帯域にわたって小さい音のゲインを上げる補正パラメータを出力音補正部３４に設定する。なお、補正パラメータは、ゲインそのものであっても良いし、所望のゲインで増幅するように出力音補正部３４を制御する制御値であっても良い。処理部２２の補正パラメータ設定部２２ａは、以上のような出力した提示音と、その音に対してユーザによって入力された応答との関係から周波数毎の補正パラメータを設定（調整）する動作を繰り返す。
【００７４】
これにより、補正パラメータをユーザの聴こえ（音声の聞こえ方（聴こえ方）、聴覚の特性）に合わせて設定することができ、ユーザにより聞こえやすい音声を出力することができる。
【００７５】
なお、処理部２２は、様々な提示音を用いて図１３に示すフローを繰り返し実行することで、補正パラメータをユーザに適した値に収束させ、ユーザにより聞こえやすい音声を出力することができる。また、処理部２２は、図１３に示すフローを定期的（例えば、３ヶ月毎、６ヶ月毎等）に実行することで、ユーザの聴力に変化があった場合であっても、ユーザにより聞こえやすい音声を出力することができる。
【００７６】
また、処理部２２は、ステップＳ１１６でディスプレイ２に一覧表示された項目のいずれかが選択されたと判定したら（ステップＳ１１６でＹｅｓ）、選択された項目をログとして記憶部２４に記憶し、ユーザからの指示入力に応じてログの内容を表示部３２に表示させるようにしても良い。これにより、ユーザはログを参照することで、過去に選択した項目を把握し、補正パラメータの調整の過程を把握することができる。これにより、ユーザが補正パラメータの調整をすることをより容易にすることができる。
【００７７】
次に、携帯電子機器１の補正パラメータ設定動作の他の一例を説明する。携帯電子機器１は、補正パラメータの設定機能が起動されたら、補正パラメータ設定部２２ａにより補正パラメータの設定処理を行う。まず、提示音生成部２２ｄで提示音を生成し、レシーバ１６またはスピーカ１７から出力する。ここで、本実施形態において、提示音とは、補正パラメータの設定時にユーザが聞き取る対象の音声であり、単語、文章である。なお、提示音としては、聞き間違いが発生しやすい単語、文章を用いることが好ましい。なお、提示音としては、例えば、「安全」や「完全」や「断然」を用いることができる。「安全」と「完全」と「断然」とは、互いに聞き間違いしやすい音声である。また、提示音としては、「売り上げ」や「おみやげ」や「もみあげ」も用いることができる。また、このほかにも、「環境」や「反響」や「探求」も用いることができる。また、提示音は、不快閾値と可聴閾値とを設定できるように、設定された不快閾値ぎりぎりの音（例えば、不快閾値よりわずかに小さい音）や設定された可聴閾値ぎりぎりの音（例えば、可聴閾値よりわずかに大きい音）を用いることが好ましい。
【００７８】
携帯電子機器１は、提示音を出力したら、聞き取った音を入力する画面を表示させる。携帯電子機器１は、画面を表示させている状態で、操作部１３が操作され、文字が入力されたら、入力された文字を表示させる。また、携帯電子機器１は、提示音の文字と、入力された文字とが一致したか否かをユーザに通知する画面を表示させる。携帯電子機器１は、以上のようにして、ディスプレイ２に画面を表示させつつ、提示音を出力し、制御を行うことで、補正パラメータの調整を周波数域毎、各母音、各有声子音、各無声子音で行う。携帯電子機器１は、以上のようにして、周波数毎に補正パラメータを設定する。
【００７９】
以下、図１６を用いて携帯電子機器１の補正パラメータ設定動作をより詳細に説明する。ここで、図１６は、携帯電子機器の動作の一例を示すフロー図である。なお、図１６に示す動作は、記憶部２４に記憶されたアプリケーションを実行することで処理してもよい。またプログラムは、外部からダウンロードして取得することができる。
【００８０】
まず、携帯電子機器１の処理部２２は、ステップＳ２１２として、提示音（テスト音）を再生する。つまり、携帯電子機器１の処理部２２は、提示音生成部２２ｄにより提示音（テスト音）を生成し、音声処理部３０を介してレシーバ１６またはスピーカ１７から出力させる。なお、提示音としては、上述したように、各種聞き間違えが発生しやすい単語、文章を用いることが好ましい。また、携帯電子機器１は、提示音を、設定された不快閾値ぎりぎりの音（例えば、不快閾値よりわずかに小さい音）や設定された可聴閾値ぎりぎりの音（例えば、可聴閾値よりわずかに大きい音）で出力することが好ましい。
【００８１】
処理部２２は、ステップＳ２１２で提示音を再生したら、ステップＳ２１４として、入力画面を表示させる。つまり、提示音がなんと聞こえたか、どんな単語や、文章が聞こえたかを入力する画面を表示させる。処理部２２は、ステップＳ２１４で入力画面を表示させたら、ステップＳ２１６として入力が完了したかを判定する。ここで、処理部２２は、必要な文字数が入力されたら、または、一定の時間が経過したら、入力が完了したと判定する。処理部２２は、ステップＳ２１６で入力が完了していない（ステップＳ２１６でＮｏ）と判定したら、ステップＳ２１６に進む。つまり、処理部２２は、入力が完了するまで、ステップＳ２１６の処理を繰り返す。なお、処理部２２は、ステップＳ２１６の処理中に操作部１３が操作され文字が入力されたら、入力された文字を反映して制御を行う。
【００８２】
処理部２２は、ステップＳ２１６で入力が完了した（ステップＳ２１６でＹｅｓ）と判定したら、ステップＳ２１８として、提示音と入力文字が一致しているかを判定する。処理部２２は、ステップＳ２１８で、提示音と入力文字が一致する（ステップＳ２１８でＹｅｓ）と判定したら、処理を終了する。また、処理部２２は、ステップＳ２１８で、提示音と入力文字が一致しない（ステップＳ２１８でＮｏ）と判定したら、ステップＳ２２０として、補正パラメータを調整し、処理を終了する。
【００８３】
次に、図１７を用いて、ステップＳ２２０での提示音と入力文字が一致しないことに基づいた、補正パラメータの調整の処理について説明する。ここで、図１７は、携帯電子機器の動作の一例を示すフロー図である。なお、図１７に示す動作も、記憶部２４に記憶されたアプリケーションを実行することで処理してもよい。またプログラムは、外部からダウンロードして取得することができる。
【００８４】
まず、処理部２２は、ステップＳ２４０として、母音が不一致であるかを判定する。処理部２２は、ステップＳ２４０で母音が不一致である（ステップＳ２４０でＹｅｓ）と判定したら、ステップＳ２４２として、母音の周波数域で対象の周波数を特定する。つまり、不一致の母音に対応する周波数の帯域、または１つ以上の周波数を特定する。処理部２２は、ステップＳ２４２で周波数を特定したら、ステップＳ２５０に進む。
【００８５】
また、ステップＳ２４０で母音が不一致ではない（ステップＳ２４０でＮｏ）、つまり、母音は全て一致していると判定したら、ステップＳ２４４として、有声子音が不一致であるかを判定する。処理部２２は、ステップＳ２４４で有声子音が不一致である（ステップＳ２４４でＹｅｓ）と判定したら、ステップＳ２４６として、有声子音の周波数域で対象の周波数を特定する。つまり、不一致の有声子音に対応する周波数の帯域、または１つ以上の周波数を特定する。処理部２２は、ステップＳ２４６で周波数を特定したら、ステップＳ２５０に進む。
【００８６】
また、処理部２２は、ステップＳ２４４で有声子音が不一致ではない（ステップＳ２４４でＮｏ）、つまり、不一致な音声は、無声子音であると判定したら、ステップＳ２４８として、無声子音の周波数域で対象の周波数を特定する。つまり、不一致の無声子音に対応する周波数の帯域、または１つ以上の周波数を特定する。処理部２２は、ステップＳ２４８で周波数を特定したら、ステップＳ２５０に進む。
【００８７】
処理部２２は、ステップＳ２４２、ステップＳ２４６、ステップＳ２４８の処理が終了したら、ステップＳ２５０として、不一致音の出力は、不快閾値に近いかを判定する。つまり、処理部２２は、ステップＳ２５０として、不一致音の出力の大きさが、不快閾値に近いか、可聴閾値に近いかを判定し、聞き間違いをした原因が、ユーザの不快閾値よりも大きい音声であるためか、可聴閾値よりも小さいためであるかを判定する。
【００８８】
処理部２２は、ステップＳ２５０で、不一致音の出力は、不快閾値に近い（ステップＳ２５０でＹｅｓ）、つまり、不一致音の出力は、可聴閾値よりも不快閾値に近いと判定したら、ステップＳ２５２として、該当する周波数の不快閾値を低下させる。つまり調整対象の周波数の不快閾値をより小さい値とする。処理部２２は、ステップＳ２５２の処理が終了したら、ステップＳ２５６に進む。
【００８９】
処理部２２は、ステップＳ２５０で、不一致音の出力は、不快閾値に近くない（ステップＳ２５０でＮｏ）、つまり、不一致音の出力は、不快閾値よりも可聴閾値に近いと判定したら、ステップＳ２５４として、該当する周波数の可聴閾値を上昇させる。つまり調整対象の周波数の可聴閾値をより大きな値とする。処理部２２は、ステップＳ２５４の処理が終了したら、ステップＳ２５６に進む。
【００９０】
処理部２２は、ステップＳ２５２、ステップＳ２５４の処理が終了したら、ステップＳ２５６として、不一致音を全て補正したか、つまり不一致音に対する補正処理を完了したかを判定する。処理部２２は、ステップＳ２５６で、不一致音を全て補正していない（ステップＳ２５６でＮｏ）、つまり、補正処理を行っていない不一致音があると判定したら、ステップＳ２４０に進み上記処理を繰り返す。これにより、処理部２２は、不一致と判定した全ての音に対して、閾値の補正処理を行う。また、処理部２２は、ステップＳ２５６で、不一致音を全て補正した（ステップＳ２５６でＹｅｓ）と判定したら、処理を終了する。
【００９１】
携帯電子機器１は、以上のようにして、周波数毎に補正パラメータを設定する。携帯電子機器１は、音声信号が入力されたら、出力音補正部３４が、設定した補正パラメータに基づいて、音声信号を補正し音声処理部３０に出力する。これにより、携帯電子機器１は、ユーザの聴こえ（音声の聞こえ方、聴覚の特性）に合わせて設定した補正パラメータによって音声信号を補正することができ、ユーザにより聞こえやすい音声を出力することができる。
【００９２】
さらに、処理部２２は、様々な単語、文章の提示音を用いて図１６、図１７に示すフローを繰り返し実行することで、補正パラメータをユーザに適した値に収束させ、ユーザにより聞こえやすい音声を出力することができる。
【００９３】
また、処理部２２は、図１６、図１７に示すフローを定期的（例えば、３ヶ月毎、６ヶ月毎等）に実行することで、ユーザの聴力に変化があった場合であっても、ユーザにより聞こえやすい音声を出力することができる。
【００９４】
また、処理部２２は、提示音として単語を用い、ユーザに聴こえた単語を入力させ、比較を行うことで、電話による通信や、テレビ放送の視聴時に実際に聞くことになる、言葉を用いて、補正処理を行うことができる。これにより、より適切に補正パラメータを調整することができ、電話による会話や、テレビ放送の視聴をより円滑に行うことができる。
【００９５】
また、処理部２２は、本実施形態のように、提示音を、母音と有声子音と無声子音とに別け解析を行い、それぞれに対応する周波数毎に補正パラメータを設定することで、より聴こえやすい音声を出力することができる。
【００９６】
また、聴こえた音声を文字として入力できるため、処理部２２は、確実、かつ間違えることなく、ユーザの入力を検出することができ、より高い精度で音声の補正を行うことができる。また、携帯電子機器１は、補正パラメータを調整しつつ、本実施形態のように、文字を入力させ、その結果、つまり、一致しているかの結果をディスプレイ２に表示させることで、ユーザに徐々に聴こえやすくなっていることを認知させることができる。これにより、ユーザに高い満足度かつ少ないストレスで、補正パラメータの設定を実施させることができる。また、ユーザにゲーム感覚で補正パラメータの設定を実施させることができる。
【００９７】
また、上記実施形態では、文字入力の入力欄を文字数に対応した数としたが、本発明はこれに限定されない。例えば、単にテキスト入力画面を表示させるようにしてもよい。
【００９８】
また、携帯電子機器１は、提示音の出力方法として種々の出力方法を用いることができる。例えば、予め設定してある音声を用いてもよいし、通話で使用した音声をサンプリングして用いてもよい。また、特定の通話相手に予め用意したテキスト情報を読み上げてもらい、そのテキスト情報と音声情報を取得し、ユーザが音声情報を聞きながら、聴こえた文字情報を入力するようにしても、補正パラメータを設定することができる。なお、提示音として、特定の対象の音声を用いることで、特定の対象の音声をより聞きやすくすることができ、特定の対象との通話をより円滑に行うことができる。
【００９９】
なお、補正パラメータ設定部２２ａによる補正パラメータの設定方法は、これに限定されない。例えば、通話時の通話音声をスペクトル分析部２２ｃにより解析し、そのスペクトル分析部２２ｃの解析結果に対するユーザの感想（例えば、聞こえにくい、キンキン聞こえる）に基づいて、補正パラメータを設定してもよい。なお、ユーザの感想の入力方法は、項目の選択、文字入力、音声入力等種々の入力方法がある。また、サンプルの音声は、提示音生成部２２ｄから出力させてもよい。
【０１００】
また、携帯電子機器１は、補正パラメータ設定時の提示音の出力方法として種々の出力方法を用いることができる。例えば、予め設定してある音声を用いてもよいし、通話で使用した音声をサンプリングして用いてもよい。また、特定の通話相手に予め用意したテキスト情報を読み上げてもらい、そのテキスト情報と音声情報を取得し、ユーザが音声情報を聞きながら、聴こえた文字情報を入力するようにしても、補正パラメータを設定することができる。なお、提示音として、特定の対象の音声を用いることで、特定の対象の音声をより聞きやすくすることができ、特定の対象との通話をより円滑に行うことができる。
【０１０１】
ここで、携帯電子機器１は、複数の利用者に対して補正パラメータを設定する場合は、それぞれの利用者に対して上述した補正パラメータの設定処理を行うことで、それぞれの利用者に対する補正パラメータを設定することができる。また、補正パラメータの設定時には、利用者の識別情報も対応付けて設定する。
【０１０２】
また、処理部２２は、音声処理部３０で実際に出力する周波数に対応して補正パラメータを設定することが好ましく、より好ましくは、電話通信で用いられる周波数に対応して補正パラメータを設定することが好ましい。このように、実際に使用する周波数に対して補正パラメータを設定することで、より携帯電子機器１から出力される音声をより聞きやすい音声にすることができる。ここで、補正パラメータを設定する周波数としては、例えば、ＣＥＬＰ（符号励振線形予測符号化）方式、ＥＶＲＣ（可変レート音声コーデック）方式、ＡＭＲ（適応型マルチレート）方式で用いられる周波数に対して設定することが好ましい。
【０１０３】
なお、上記実施形態では、補正パラメータを携帯電子機器１で設定したが、これに限定されない。補正パラメータは、他の電子機器で設定し、設定した補正パラメータを携帯電子機器１に記憶させてもよい。なお、上記実施形態のように携帯電子機器１から発生させた音声に基づいて補正パラメータを設定することで、より使用時の条件に対応した補正パラメータができる。
【０１０４】
また、本実施形態では、補正パラメータの設定処理、補正パラメータの選択処理を、処理部２２で行ったが、本発明はこれに限定されない。携帯電子機器１は、各種演算処理を、送受信部２６を介して通信可能なサーバで実行してもよい。つまり、演算処理自体は、外部で行っても良い。この場合、携帯電子機器１は、サーバへの識別情報の送信、サーバからの補正パラメータの受信等を行う。このように、サーバで演算を行ったり、補正パラメータを設定したりすることで、携帯電子機器１にかかる負荷を少なくすることができる。また、通信を行うサーバで予め補正パラメータを設定し、サーバが補正パラメータに基づいて音声信号を補正するようにしてもよい。つまり、サーバと携帯電子機器とを１つのシステムとして、上述した処理を行うようにしてもよい。これにより、携帯電子機器１は、予め補正された音声信号を受け取ることができるため、補正処理自体を実行しないようにすることもできる。
【０１０５】
ここで、図１８は、携帯電子機器を備える通信システムの概略構成を示す模式図である。図１８に示す通信システム（音声制御システム）２０１は、携帯電子機器１、１ａ、サーバ２０２、２０２ａと、通信網２０３と、データベース２０４と、を有する。なお、通信システム２０１を構成する各部の数は、特に限定されず、各部ともに複数の装置を備えていてもよい。例えば、携帯電子機器１、１ａは、１つのサーバ２０２、２０２ａに対して複数設けられていてもよい。
【０１０６】
サーバ２０２は、各通信装置を特定する情報（電話番号、アドレス）等の種々のデータを有し、通信網を介して携帯電子機器１と通信し、種々の情報を供給する。なお、サーバ２０２と携帯電子機器１は、基地局、中継局で形成され、無線で通信波を送受信する通信網により、通信を行う。また、通信網は、サーバ２０２と携帯電子機器１との間で通信を行うことができれば、種々の通信方法を用いることができる。例えば、衛星回線を利用して通信を行ってもよい。
【０１０７】
また、サーバ２０２、２０２ａは、携帯電子機器１から情報を受信し、その情報に基づいて、通信網２０３を介して、他の通信装置に情報を通信する、情報の中継も行う。つまり、サーバ２０２は、各通信装置から送られてくる情報を集約して記憶し、集約した情報を必要に応じて通信装置に供給（提供）する。なお、サーバ２０２ａは、集約した情報を加工（処理）して通信装置に供給することもできる。
【０１０８】
通信網２０３は、交換機や、有線・無線の通信回線で構成されている。通信網２０３は、有線、無線の通信回線を用いて通信装置と他の通信装置との間での情報通信を行う。具体的には、通信網２０３は、サーバ２０２とサーバ２０２ａとの間での情報通信や、サーバ２０２、２０２ａとデータベース２０４との間での情報通信を行う。なお、通信網２０３は、サーバ２０２と携帯電子機器１とを接続する通信網と同様の通信網でも、別の通信網でもよい。また、通信網２０３としてはインターネット通信網を用いることもできる。
【０１０９】
データベース２０４は、記憶装置であり、補正パラメータ情報、識別情報を解析するための使用者の情報等、携帯電子機器１での処理に必要な種々のデータを記憶している。データベース２０４は、通信網２０３を介して、記憶している各種情報をサーバ２０２またはサーバ２０２ａに供給する。
【０１１０】
通信システム２０１は、以上のようなシステムにおいて、携帯電子機器１が取得した識別情報をサーバ２０２に送り、サーバ２０２が必要な情報をデータベース２０４から取得して使用する補正パラメータを決定し、決定した使用補正パラメータを携帯電子機器１に送り、携帯電子機器１で送られた使用補正パラメータを使用するようにしてもよい。これにより、携帯電子機器１は、取得した識別情報をサーバ２０２に出力し、サーバ２０２から供給された情報を使用することで、上記と同様の出力音の補正を行うことができる。これにより、携帯電子機器１での処理量、記憶量を低減することができる。また、サーバ２０２として共通するサーバを用いることで、他の通信機器で通信を行う場合でも、同様の補正処理を行うことができる。
【０１１１】
また、サーバで行う処理と、携帯電子機器で行う処理とは、種々の分担とすることができる。例えば、補正パラメータに基づく、出力音の補正処理をサーバで行うようにしてもよい。これにより、携帯電子機器の処理をより低減することができる。なお、サーバで、携帯電子機器１と、他の通信機器との通話動作を中継する場合は、サーバから携帯電子機器に供給する音声を補正することで、この処理を行うことができる。
【０１１２】
また、サーバ２０２に識別情報及び補正パラメータを記憶させ、使用者の判定及び補正パラメータの決定を行うことで、一度識別情報及び補正パラメータの設定を行えば、別の電子機器を使用する場合も同じ補正パラメータで補正を行うことができる。これにより、使用者は、サーバ２０２と通信可能な電子機器を使用した場合は、どの電子機器を使用しても、その使用者が聴こえやすい音声を出力させることができ、電子機器から出力される音声を聞きやすくなる。
【産業上の利用可能性】
【０１１３】
以上のように、本発明は、音声を出力するものに有用である。
【符号の説明】
【０１１４】
１  携帯電子機器
１Ｃ  筐体
２  ディスプレイ
１３  操作部
１３Ａ  操作キー
１３Ｂ  方向及び決定キー
２２  処理部
２２ａ  補正パラメータ設定部
２２ｂ  音声解析部
２２ｃ  スペクトル分析部
２２ｄ  提示音生成部
２２ｅ  補正機能制御部
２４  記憶部
３０  音声処理部
３２  表示部
３４  出力音補正部
３５  加速度センサ
３６  指紋センサ
３８  カメラ
【図１】
2012074911.tif 000003
【図２】
2012074911.tif 000004
【図３】
2012074911.tif 000005
【図４】
2012074911.tif 000006
【図５】
2012074911.tif 000007
【図６】
2012074911.tif 000008
【図７】
2012074911.tif 000009
【図８】
2012074911.tif 000010
【図９】
2012074911.tif 000011
【図１０】
2012074911.tif 000012
【図１１】
2012074911.tif 000013
【図１２】
2012074911.tif 000014
【図１３】
2012074911.tif 000015
【図１４−１】
2012074911.tif 000016
【図１４−２】
2012074911.tif 000017
【図１４−３】
2012074911.tif 000018
【図１４−４】
2012074911.tif 000019
【図１５−１】
2012074911.tif 000020
【図１５−２】
2012074911.tif 000021
【図１６】
2012074911.tif 000022
【図１７】
2012074911.tif 000023
【図１８】
2012074911.tif 000024